(57)【要約】  情報更新方法および装置ならびにサーバ。方法は、端末の第1のインターフェース上で第1の情報に関する第1の命令を受信するステップと、第1の命令に応答して、第2のインターフェースを表示するステップと、第2のインターフェース上で第2の命令を受信するステップと、第2の命令に従って、第2のインターフェース上に表示された、第1のアカウントについての識別情報を目標の情報に更新するステップとを含む。解決策は、イベントが匿名の識別情報を使用して開始され得ないという技術的な問題を解決する。
2019508767.tif 000002
【特許請求の範囲】
【請求項１】
第1のアカウントを使用することによってログインが実行される端末の第1のインターフェース上で第1の情報に関する第1の命令を受信するステップであって、前記第1の命令が、前記第1の情報に関する予め設定されたイベントを実行するように命令するために使用され、前記第1の情報が、第2のアカウントによって公開され、前記第1のインターフェース上に表示される、ステップと、
前記端末によって、前記第1の命令に応答して第2のインターフェースを表示するステップであって、前記第1のアカウントの識別情報が、前記第2のインターフェース上に表示され、前記第1のアカウントの前記識別情報が、編集可能な状態である、ステップと、
前記端末によって、前記第2のインターフェース上で第2の命令を受信するステップであって、前記第2の命令が、前記第1のアカウントの前記識別情報を目標の情報によって置き換えるように命令するために使用される、ステップと、
前記端末によって、前記第2のインターフェース上に表示された前記第1のアカウントの前記識別情報を前記第2の命令に従って前記目標の情報に更新するステップとを含む、情報の更新のための方法。
【請求項２】
前記第2のインターフェース上に表示された前記第1のアカウントの前記識別情報を前記第2の命令に従って前記目標の情報に更新した後に、
前記端末によって、前記第2のインターフェース上で第3の命令を受信するステップであって、前記第3の命令が、前記目標の情報を前記第1のアカウントの前記識別情報によって置き換えるために使用される、ステップと、
前記端末によって、前記第2のインターフェース上に表示された前記目標の情報を前記第1のアカウントの前記識別情報に更新するステップとをさらに含む請求項1に記載の方法。
【請求項３】
前記第2のインターフェース上に表示された前記第1のアカウントの前記識別情報が前記第2の命令に従って前記目標の情報に更新されるとき、前記第2のインターフェース上に第1のプロンプト情報を表示するステップであって、前記第1のプロンプト情報が、前記第1のアカウントの前記識別情報が隠された状態であることを示すために使用される、ステップと、
前記第2のインターフェース上に表示された前記目標の情報が前記第2の命令に従って前記第1のアカウントの前記識別情報に更新されるとき、前記第2のインターフェース上に第2のプロンプト情報を表示するステップであって、前記第2のプロンプト情報が、前記第1のアカウントの前記識別情報が見える状態であることを示すために使用される、ステップとをさらに含む請求項2に記載の方法。
【請求項４】
前記第2のインターフェース上で前記第2の命令を受信した後、および前記第2のインターフェース上に表示された前記第1のアカウントの前記識別情報を前記第2の命令に従って前記目標の情報に更新する前に、
前記端末によって、前記第2の命令が前記目標の情報を運ぶかどうかを検出するステップと、
前記第2の命令が前記目標の情報を運ぶことが検出される場合、前記端末によって、前記第2のインターフェース上に表示された前記第1のアカウントの前記識別情報を前記第2の命令によって運ばれる前記目標の情報に更新するステップとをさらに含む請求項1に記載の方法。
【請求項５】
前記第2のインターフェース上で前記第2の命令を受信した後、および前記第2のインターフェース上に表示された前記第1のアカウントの前記識別情報を前記第2の命令に従って前記目標の情報に更新する前に、
前記端末によって、前記第2の命令が前記目標の情報を運ぶかどうかを検出するステップと、
前記第2の命令が前記目標の情報を運ばないことが検出される場合、前記端末によって、前記第2の命令をサーバに送信するステップと、
前記端末によって、前記第2の命令に応答して前記サーバによって生成された前記目標の情報を受信するステップであって、前記サーバが、予め設定された識別情報グループから第1のグループを無作為に抽出し、前記目標の情報として前記第1のグループから1つの識別情報を無作為に抽出する、ステップとをさらに含む請求項1に記載の方法。
【請求項６】
前記予め設定されたイベントが、リソースを転送することであり、前記端末の前記第1のインターフェース上で前記第1の情報に関する前記第1の命令を受信した後、
前記端末によって、前記第1の命令をサーバに送信するステップであって、前記第1の命令が、前記リソースを前記第2のアカウントに転送するように命令するために使用される、ステップと、
前記端末によって、前記第1の命令に応答して前記サーバによって送信された、転送されるリソースの値を受信するステップと、
前記端末によって、前記第2のインターフェース上に前記転送されるリソースの前記値を表示するステップであって、前記転送されるリソースの前記値が、編集可能な状態である、ステップとをさらに含む請求項1に記載の方法。
【請求項７】
前記第1の命令を前記サーバに送信した後、かつ前記第1の命令に応答して前記サーバによって送信された前記転送されるリソースの前記値を受信する前に、
前記サーバによって、予め設定された時間の期間において前記第1のアカウントと前記第2のアカウントとの間のインタラクティブ挙動情報を検出するステップと、
前記サーバによって、前記インタラクティブ挙動情報に従って前記転送されるリソースの前記値を生成するステップであって、前記インタラクティブ挙動情報が予め設定された条件を満たす場合、前記転送されるリソースの前記生成された値が、第1の値以上であり、前記インタラクティブ挙動情報が前記予め設定された条件を満たさない場合、前記転送されるリソースの前記生成された値が、前記第1の値未満である、ステップとをさらに含む請求項6に記載の方法。
【請求項８】
前記第1の命令に応答して前記第2のインターフェースを表示した後、
前記端末によって、前記第2のインターフェース上でメッセージ情報を受信するステップをさらに含み、
リソースが前記第1のアカウントから前記第2のアカウントに転送された後、前記メッセージ情報および前記目標の情報が前記第1のインターフェース上に表示され、前記目標の情報が表示されるとき、前記第1のアカウントの前記識別情報を見ることを可能にしない請求項1に記載の方法。
【請求項９】
サーバによって、第1のアカウントの識別情報を目標の情報によって置き換えるように命令するために使用される識別情報置き換え要求を受信するステップであって、前記識別情報置き換え要求が、第1のアカウントを使用することによってログインが実行される端末によって第2のインターフェースを使用することにより送信され、前記端末が、第1のインターフェース上で第1の命令を受信すると前記第2のインターフェースを表示し、前記第1の命令が、第2のアカウントによって公開され前記第1のインターフェース上に表示される第1の情報に関する予め設定されたイベントを実行するように命令するために使用され、前記第1のアカウントの前記識別情報が、前記第2のインターフェース上に表示され、前記第1のアカウントの前記識別情報が、編集可能な状態である、ステップと、
前記サーバによって、前記識別情報置き換え要求に従って前記目標の情報を生成するステップと、
前記サーバによって、前記第1のアカウントを使用することによってログインが実行される前記端末に前記目標の情報を送信するステップとを含む、情報の更新のための方法。
【請求項１０】
前記サーバによって、前記識別情報置き換え要求に従って前記目標の情報を生成する前記ステップが、
前記サーバによって、予め設定された識別情報グループから第1のグループを無作為に抽出することであって、前記予め設定された識別情報グループが、複数の識別情報を含む、抽出することと、
前記サーバによって、前記目標の情報として前記第1のグループから1つの識別情報を無作為に抽出することとを含む請求項9に記載の方法。
【請求項１１】
前記予め設定されたイベントが、リソースを転送することであり、前記サーバによって、前記第1のアカウントの識別情報を前記目標の情報によって置き換えるように命令するために使用される前記識別情報置き換え要求を受信する前に、
前記サーバによって、予め設定された時間の期間において前記第1のアカウントと前記第2のアカウントとの間のインタラクティブ挙動情報を検出するステップと、
前記サーバによって、前記インタラクティブ挙動情報に従って転送されるリソースの値を生成するステップであって、前記インタラクティブ挙動情報が予め設定された条件を満たす場合、前記転送されるリソースの前記生成された値が、第1の値以上であり、前記インタラクティブ挙動情報が前記予め設定された条件を満たさない場合、前記転送されるリソースの前記生成された値が、前記第1の値未満である、ステップとをさらに含む請求項9に記載の方法。
【請求項１２】
第1のアカウントを使用することによってログインが実行される装置の第1のインターフェース上で第1の情報に関する第1の命令を受信するように構成された第1の受信ユニットであって、前記第1の命令が、前記第1の情報に関する予め設定されたイベントを実行するように命令するために使用され、前記第1の情報が、第2のアカウントによって公開され、前記第1のインターフェース上に表示される、第1の受信ユニットと、
前記第1の命令に応答して第2のインターフェースを表示するように構成された第1の表示ユニットであって、前記第1のアカウントの識別情報が、前記第2のインターフェース上に表示され、前記第1のアカウントの前記識別情報が、編集可能な状態である、第1の表示ユニットと、
前記第2のインターフェース上で第2の命令を受信するように構成された第2の受信ユニットであって、前記第2の命令が、前記第1のアカウントの前記識別情報を目標の情報によって置き換えるように命令するために使用される、第2の受信ユニットと、
前記第2のインターフェース上に表示された前記第1のアカウントの前記識別情報を前記第2の命令に従って前記目標の情報に更新するように構成された第1の更新ユニットとを含む、情報の更新のための装置。
【請求項１３】
前記第1の更新ユニットが前記第2のインターフェース上に表示された前記第1のアカウントの前記識別情報を前記第2の命令に従って前記目標の情報に更新した後、前記第2のインターフェース上で第3の命令を受信するように構成された第3の受信ユニットであって、前記第3の命令が、前記目標の情報を前記第1のアカウントの前記識別情報によって置き換えるために使用される、第3の受信ユニットと、
前記第2のインターフェース上に表示された前記目標の情報を前記第1のアカウントの前記識別情報に更新するように構成された第2の更新ユニットとをさらに含む請求項12に記載の装置。
【請求項１４】
前記第1の更新ユニットが前記第2のインターフェース上に表示された前記第1のアカウントの前記識別情報を前記第2の命令に従って前記目標の情報に更新するとき、前記第1の表示ユニットが、前記第2のインターフェース上に第1のプロンプト情報を表示し、前記第1のプロンプト情報が、前記第1のアカウントの前記識別情報が隠された状態であることを示すために使用され、
前記第1の更新ユニットが前記第2のインターフェース上に表示された前記目標の情報を前記第2の命令に従って前記第1のアカウントの前記識別情報に更新するとき、前記第1の表示ユニットが、前記第2のインターフェース上に第2のプロンプト情報を表示し、前記第2のプロンプト情報が、前記第1のアカウントの前記識別情報が見える状態であることを示すために使用される請求項13に記載の装置。
【請求項１５】
前記第2の受信ユニットが前記第2のインターフェース上で前記第2の命令を受信した後、かつ前記第1の更新ユニットが前記第2のインターフェース上に表示された前記第1のアカウントの前記識別情報を前記第2の命令に従って前記目標の情報に更新する前に、前記第2の命令が前記目標の情報を運ぶかどうかを検出するように構成された第1の検出ユニットと、
前記第2の命令が前記目標の情報を運ぶことが検出される場合、前記第2のインターフェース上に表示された前記第1のアカウントの前記識別情報を前記第2の命令によって運ばれる前記目標の情報に更新するように構成された第3の更新ユニットとをさらに含む請求項12に記載の装置。
【請求項１６】
前記第2の受信ユニットが前記第2のインターフェース上で前記第2の命令を受信した後、かつ前記第1の更新ユニットが前記第2のインターフェース上に表示された前記第1のアカウントの前記識別情報を前記第2の命令に従って前記目標の情報に更新する前に、前記第2の命令が前記目標の情報を運ぶかどうかを検出するように構成された第2の検出ユニットと、
前記第2の命令が前記目標の情報を運ばないことが検出される場合、前記第2の命令をサーバに送信するように構成された第1の送信ユニットと、
前記第2の命令に応答して前記サーバによって生成された前記目標の情報を受信するように構成された第4の受信ユニットであって、前記サーバが、予め設定された識別情報グループから第1のグループを無作為に抽出し、前記目標の情報として前記第1のグループから1つの識別情報を無作為に抽出する、第4の受信ユニットとをさらに含む請求項12に記載の装置。
【請求項１７】
前記予め設定されたイベントが、リソースを転送することであり、前記装置が、
前記第1の受信ユニットが前記装置の前記第1のインターフェース上で前記第1の命令を受信した後、前記第1の命令をサーバに送信するように構成された第2の送信ユニットであって、前記第1の命令が、リソースを前記第2のアカウントに転送するように命令するために使用される、第2の送信ユニットと、
前記第1の命令に応答して前記サーバによって送信された、転送されるリソースの値を受信するように構成された第5の受信ユニットと、
前記第2のインターフェース上に前記転送されるリソースの前記値を表示するように構成された第2の表示ユニットであって、前記転送されるリソースの前記値が、編集可能な状態である、第2の表示ユニットとをさらに含む請求項12に記載の装置。
【請求項１８】
第3の検出ユニットであって、前記サーバが、前記第2の送信ユニットが前記第1の命令を前記サーバに送信した後、かつ前記第5の受信ユニットが前記第1の命令に応答して前記サーバによって送信された前記転送されるリソースの前記値を受信する前に、予め設定された時間の期間において前記第1のアカウントと前記第2のアカウントとの間のインタラクティブ挙動情報を検出する、第3の検出ユニットと、
生成ユニットであって、前記サーバが、前記インタラクティブ挙動情報に従って前記転送されるリソースの前記値を生成し、前記インタラクティブ挙動情報が予め設定された条件を満たす場合、前記転送されるリソースの前記生成された値が、第1の値以上であり、前記インタラクティブ挙動情報が前記予め設定された条件を満たさない場合、前記転送されるリソースの前記生成された値が、前記第1の値未満である、生成ユニットとをさらに含む請求項17に記載の装置。
【請求項１９】
前記第1の表示ユニットが前記第1の命令に応答して前記第2のインターフェースを表示した後、前記第2のインターフェース上でメッセージ情報を受信するように構成された第6の受信ユニットをさらに含み、
リソースが前記第1のアカウントから前記第2のアカウントに転送された後、前記メッセージ情報および前記目標の情報が前記第1のインターフェース上に表示され、前記目標の情報が表示されるとき、前記第1のアカウントの前記識別情報を見ることを可能にしない請求項12に記載の装置。
【請求項２０】
サーバであって、
第1のアカウントの識別情報を目標の情報によって置き換えるように命令するために使用される識別情報置き換え要求を受信するように構成された受信モジュールであって、前記識別情報置き換え要求が、第1のアカウントを使用することによってログインが実行される端末によって第2のインターフェースを使用することにより送信され、前記端末が、第1のインターフェース上で第1の命令を受信すると前記第2のインターフェースを表示し、前記第1の命令が、第2のアカウントによって公開され前記第1のインターフェース上に表示される第1の情報に関する予め設定されたイベントを実行するように命令するために使用され、前記第1のアカウントの前記識別情報が、前記第2のインターフェース上に表示され、前記第1のアカウントの前記識別情報が、編集可能な状態である、受信モジュールと、
前記識別情報置き換え要求に従って前記目標の情報を生成するために前記サーバによって使用される第1の生成モジュールと、
前記第1のアカウントを使用することによってログインが実行される前記端末に前記目標の情報を送信するために前記サーバによって使用される送信モジュールとを含む、サーバ。
【請求項２１】
前記第1の生成モジュールが、
予め設定された識別情報グループから第1のグループを無作為に抽出するように構成された第1の抽出サブモジュールであって、前記予め設定された識別情報グループが、複数の識別情報を含む、第1の抽出サブモジュールと、
前記目標の情報として前記第1のグループから1つの識別情報を無作為に抽出するように構成された第2の抽出サブモジュールとを含む請求項20に記載のサーバ。
【請求項２２】
前記予め設定されたイベントが、リソースを転送することであり、前記サーバが、
前記受信モジュールが前記第1のアカウントの前記識別情報を前記目標の情報によって置き換えるように命令するために使用される前記識別情報置き換え要求を受信する前に、予め設定された時間の期間において前記第1のアカウントと前記第2のアカウントとの間のインタラクティブ挙動情報を検出するように構成された検出モジュールと、
前記インタラクティブ挙動情報に従って転送されるリソースの値を生成するように構成された第2の生成モジュールであって、前記インタラクティブ挙動情報が予め設定された条件を満たす場合、前記転送されるリソースの前記生成された値が、第1の値以上であり、前記インタラクティブ挙動情報が前記予め設定された条件を満たさない場合、前記転送されるリソースの前記生成された値が、前記第1の値未満である、第2の生成モジュールとをさらに含む請求項20に記載のサーバ。
【発明の詳細な説明】
【技術分野】
【０００１】
本出願は、その全体が参照により組み込まれている、2016年5月27日に中華人民共和国の国家知識産権局に出願した「INFORMATION UPDATE METHOD AND APPARATUS, AND SERVER」と題した中国特許出願第201610363929.X号の優先権を主張する。
【０００２】
本出願は、インターネットの分野に関し、特に、情報の更新のための方法、装置、およびサーバに関する。
【背景技術】
【０００３】
既存のアプリケーションクライアントは、ユーザによる別のユーザへのメッセージ、リソース転送などのイベントの開始をサポートし、ユーザがユーザグループ対してイベントを開始することもサポートする。たとえば、インスタントメッセージングクライアントにおいて、ユーザは、友達とのチャットを開始し、友達との単一のチャットインターフェースにおいて友達に対して何らかのイベントを開始する(たとえば、祝儀(red envelope)を贈る)。代替的に、ユーザは、複数の友達とのグループチャットを開始し、チャットグループ内で何らかのイベントを開始する(たとえば、グループ内の友達の言葉にコメントするかまたはいいね!をする)。2つの筋書きにおいて、ユーザは、チャットインターフェースによってユーザのうちの誰がイベントを開始したかを見ることができる。
【０００４】
しかし、場合によっては、イベントを開始するユーザは、そのユーザの識別情報(identity)をその他のユーザによって知られることを望まない。たとえば、ユーザは、公共の福祉のための寄付を行うときにそのユーザの名前を残すことを望まない。しかし、通常のテクノロジーによれば、イベントは、匿名の識別情報を使用することによって開始され得ない。
【０００５】
上述の問題のために、効果的な解決策は今のところ提案されていない。
【発明の概要】
【発明が解決しようとする課題】
【０００６】
少なくとも、イベントが匿名の識別情報を使用することによって開始され得ないという通常のテクノロジーの技術的な問題を解決するために、情報の更新のための方法、装置、およびサーバが、本開示の実施形態によって提供される。
【課題を解決するための手段】
【０００７】
本出願の実施形態の態様によれば、情報の更新のための方法が提供され、その方法は、第1のアカウントを使用してログインが実行される端末の第1のインターフェース上で第1の命令を受信するステップであって、第1の命令が、第2のアカウントによって公開され、第1のインターフェース上に表示される第1の情報に関する予め設定されたイベントを実行するように命令するために使用される、ステップと、端末によって、第1の命令に応答して第2のインターフェースを表示するステップであって、第1のアカウントの識別情報が、第2のインターフェース上に表示され、第1のアカウントの識別情報が、編集可能な状態である、ステップと、端末によって、第2のインターフェース上で第2の命令を受信するステップであって、第2の命令が、第1のアカウントの識別情報を目標の情報(target information)によって置き換えるように命令するために使用される、ステップと、端末によって、第1のアカウントの識別情報を第2の命令に従って第2のインターフェース上に表示された目標の情報に更新するステップとを含む。
【０００８】
本出願の実施形態の別の態様によれば、情報の更新のための方法がさらに提供され、その方法は、サーバによって、第1のアカウントの識別情報を目標の情報によって置き換えるように命令するために使用される識別情報置き換え要求を受信するステップであって、識別情報置き換え要求が、第1のアカウントを使用することによってログインが実行される端末によって第2のインターフェースを使用することにより送信され、端末が、第1のインターフェース上で第1の命令を受信すると第2のインターフェースを表示し、第1の命令が、第2のアカウントによって公開され、第1のインターフェース上に表示される第1の情報に関する予め設定されたイベントを実行するように命令するために使用され、第1のアカウントの識別情報が、第2のインターフェース上に表示され、第1のアカウントの識別情報が、編集可能な状態である、ステップと、サーバによって、識別情報置き換え要求に従って目標の情報を生成するステップと、サーバによって、第1のアカウントを使用することによってログインが実行される端末に目標の情報を送信するステップとを含む。
【０００９】
本出願の実施形態の別の態様によれば、情報の更新のための装置がさらに提供され、その装置は、第1の受信ユニット、第1の表示ユニット、第2の受信ユニット、および第1の更新ユニットを含む。第1の受信ユニットは、第1のアカウントを使用することによってログインが実行される装置の第1のインターフェース上で第1の命令を受信するように構成される。第1の命令は、第2のアカウントによって公開され、第1のインターフェース上に表示される第1の情報に関する予め設定されたイベントを実行するように命令するために使用される。第1の表示ユニットは、第1の命令に応答して第2のインターフェースを表示するように構成される。第1のアカウントの識別情報は、第2のインターフェース上に表示され、第1のアカウントの識別情報は、編集可能な状態である。第2の受信ユニットは、第2のインターフェース上で第2の命令を受信するように構成される。第2の命令は、第1のアカウントの識別情報を目標の情報によって置き換えるように命令するために使用される。第1の更新ユニットは、第2のインターフェース上に表示された第1のアカウントの識別情報を第2の命令に従って目標の情報に更新するように構成される。
【００１０】
本出願の実施形態の別の態様によれば、サーバがさらに提供され、そのサーバは、受信モジュール、第1の生成モジュール、および送信モジュールを含む。受信モジュールは、第1のアカウントの識別情報を目標の情報によって置き換えるように命令するために使用される識別情報置き換え要求を受信するように構成される。識別情報置き換え要求は、第1のアカウントを使用してログインが実行される端末によって第2のインターフェースを使用することにより送信され、端末は、第1のインターフェース上で第1の命令を受信すると第2のインターフェースを表示し、第1の命令は、第2のアカウントによって公開され、第1のインターフェース上に表示される第1の情報に関する予め設定されたイベントを実行するように命令するために使用され、第1のアカウントの識別情報は、第2のインターフェース上に表示され、第1のアカウントの識別情報は、編集可能な状態である。第1の生成モジュールは、識別情報置き換え要求に従って目標の情報を生成するためにサーバによって使用される。送信モジュールは、第1のアカウントを使用してログインが実行される端末に目標の情報を送信するためにサーバによって使用される。
【００１１】
本出願の実施形態において、第2のインターフェース上に表示される識別情報は編集可能であり、つまり、第1のアカウントの識別情報はその他の識別情報に変更され得る。したがって、第1のアカウントの本当の識別情報を隠す目的が達成され、それによって、匿名の識別情報を使用することによってイベントを開始する技術的な効果を実現し、イベントが匿名の識別情報を使用することによって開始され得ないという通常のテクノロジーにおける技術的な問題を解決する。
【００１２】
本明細書において説明される添付の図面は、本開示のさらなる理解を与えるために使用され、本開示の一部を形成する。本開示およびその説明の例示的な実施形態は、本開示を説明するために使用され、本開示に対するいかなる不適切な限定も設けない。
【図面の簡単な説明】
【００１３】
【図１】本開示の実施形態による情報の更新のための適用方法のハードウェアアーキテクチャを示す概略図である。
【図２】本開示の実施形態による情報の更新のための方法の流れ図である。
【図３】本開示の別の実施形態による情報の更新のための方法の流れ図である。
【図４】本開示の実施形態による端末の第1のインターフェースの概略図である。
【図５】本開示の実施形態による端末の第2のインターフェースの概略図である。
【図６】本開示の実施形態による匿名の識別情報が使用される端末の第2のインターフェースの概略図である。
【図７】本開示の実施形態による、祝儀のお金の額が置き換えられる端末の第2のインターフェースの概略図である。
【図８】本開示の実施形態による端末の第2のインターフェース上でのコメントの追加の概略図である。
【図９】本開示の実施形態による端末の第2のインターフェース上での支払いパスワードの入力の概略図である。
【図１０】本開示の実施形態による端末のインターフェース上の賞賛成功(Successfully praised)のプロンプト表示の概略図である。
【図１１】本開示の実施形態による匿名のコメントが成功裏になされるインターフェースの概略図である。
【図１２】本開示の実施形態による第1のアカウントの識別情報が見られる端末のインターフェースの概略図である。
【図１３】本開示の実施形態による情報の更新のための装置の概略図である。
【図１４】本開示の実施形態による情報の更新のための方法を実装するためのサーバの概略図である。
【図１５】本開示の実施形態による情報の更新のための方法を実装するための端末の概略図である。
【発明を実施するための形態】
【００１４】
当業者に本開示の解決策をより深く理解させるために、以下で、本開示の実施形態の添付の図面を参照して本開示の実施形態の技術的な解決策を明瞭で完全に示す。明らかに、説明される実施形態は、本開示の実施形態の一部に過ぎず、すべてではない。創造的な努力なしに本開示の実施形態に基づいて当業者によって得られるすべてのその他の実施形態は、本開示の保護範囲内に入る。
【００１５】
本開示の明細書、請求項、および添付の図面において、用語「第1の」、「第2の」などは、同様の対象物を区別するように意図されており、必ずしも特定の順序または順番を示さないことに留意されたい。本開示の説明される実施形態が本明細書において説明されるかまたは図に示される順番を除く順番で実装され得るように、使用されるデータは好適な状況において交換され得ることを理解されたい。さらに、用語「含む(include)」、「含む(contain)」、および任意のその他の変化形は、非排他的包含を含むことを意味し、たとえば、ステップまたはユニットのリストを含むプロセス、方法、システム、製品、またはデバイスは、必ずしもそれらのユニットに限定されず、明示的にリストに挙げられていないかまたはそのようなプロセス、方法、システム、製品、もしくはデバイスに固有でないその他のユニットを含み得る。
【００１６】
本開示の実施形態によれば、本開示の装置の実施形態を使用することによって実行され得る方法の実施形態が提供される。添付の図面の流れ図に示されるステップは、一群のコンピュータによって実行可能な命令のようなコンピュータシステムにおいて実行され得る。論理的な順番が流れ図に示されるが、場合によっては、示されるかまたは説明されるステップは、本明細書とは異なる順番を使用することによって実行される可能性がある。
【００１７】
本開示の実施形態によれば、情報の更新のための方法が提供される。
【００１８】
任意で、この実施形態において、情報の更新のための方法は、図1に示される端末102およびサーバ104を含むハードウェア環境に適用され得る。図1に示されるように、端末102は、モバイル通信ネットワーク、広域ネットワーク、メトロポリタンエリアネットワーク、またはローカルエリアネットワークを含むがこれらに限定されないネットワークを使用することによってサーバ104に接続される。端末102は、モバイル電話端末である可能性があり、またはPC端末、ノートブックコンピュータ端末、もしくはタブレットコンピュータ端末である可能性がある。
【００１９】
図1に示されるハードウェア環境のシステムの動作原理は、以下の通りである。
【００２０】
端末102は端末の第1のインターフェースを表示し、端末の第1のインターフェース上で第1の命令が受信される。第1の命令は、第2のアカウントによって公開され、第1のインターフェース上に表示される第1の情報に関する予め設定されたイベントを実行するように命令するために使用される。端末102は、第1の命令をサーバ104に送信する。
【００２１】
サーバ104は、第1の命令に従って第2のインターフェースを生成し、第2のインターフェースの情報を端末102に送信する。端末102は、サーバ104によって送信された第2のインターフェースを受信し、受信された第2のインターフェースを表示する。第1のアカウントの識別情報が、第2のインターフェース上に表示され、第1のアカウントの識別情報は、編集可能な状態である。
【００２２】
第2の命令が、端末102上に表示された第2のインターフェース上で受信され、第2の命令は、第1のアカウントの識別情報を目標の情報によって置き換えるように命令するために使用される。目標の情報は、ユーザによって第2のインターフェースに入力される可能性があり、またはサーバ104によって自動的に生成される可能性がある。目標の情報がサーバ104によって生成される場合、第2のインターフェース上の識別情報が目標の情報に更新されるように、サーバ104は、目標の情報を端末102に送信し、目標の情報は、端末102の第2のインターフェース上に表示される。
【００２３】
本開示のこの実施形態において、第2のインターフェース上に表示される識別情報は編集可能であり、つまり、第1のアカウントの識別情報はその他の識別情報に変更され得る。したがって、第1のアカウントの本当の識別情報を隠す目的が達成され、それによって、イベントが匿名の識別情報を使用することによって開始され得ないという通常のテクノロジーにおける技術的な問題を解決し、匿名の識別情報を使用することによってイベントを開始する技術的な効果を実現する。
【００２４】
さらに、識別情報が変更された後、第2のインターフェースは、予め設定されたイベントを実行するために充てられる可能性があり、変更後の目標の情報は、予め設定されたイベントが実行された後に第1のインターフェース上に表示される。したがって、第1のアカウントを除く(第2のアカウントを含む)アカウントは、第1のアカウントの本当の識別情報を知ることができない。
【００２５】
本開示のこの実施形態において、第1のアカウントを使用することによってログインが実行される端末と、第2のアカウントを使用することによってログインが実行される端末とは、同じ端末である可能性があり、または異なる端末である可能性がある。
【００２６】
第1のアカウントおよび第2のアカウントを使用することによってログインが同じ端末上で実行され、第1のアカウントが、第2のアカウントに対して匿名のイベントを開始する場合、第1のアカウントの識別情報は、端末上の第1のアカウントに対応するインターフェース上で目標の情報をクリックすることによって見られ得ず、第1のアカウントの識別情報は、端末上の第2のアカウントに対応するインターフェース上で目標の情報をクリックすることによって見られ得ない。
【００２７】
より普通には、第1のアカウントを使用することによってログインが実行される端末と、第2のアカウントを使用することによってログインが実行される端末とは、異なる端末である。第1のアカウントを使用することによってログインが実行される端末が端末Aであり、第2のアカウントを使用することによってログインが実行される端末が端末Bであり、本開示の実施形態による情報の更新のための方法を採用するアプリケーションが端末Aおよび端末B上で実行され、第1のアカウントおよび第2のアカウントが両方ともアプリケーションのためのアカウントであると仮定される。第1のアカウントが第2のアカウントに対するイベントを匿名で開始するとき、第1のアカウントの識別情報は、端末A上のインターフェース上で目標の情報をクリックすることによって見られ得ず、第1のアカウントの識別情報は、端末B上のインターフェース上で目標の情報をクリックすることによって見られ得ない。
【００２８】
任意で、第2のインターフェース上に表示される第1のアカウントの識別情報が目標の情報に更新された後、目標の情報は、第1のアカウントの識別情報にさらに戻される可能性がある。第3の命令が、第2のインターフェースを使用することによって受信され、第3の命令は、目標の情報を第1のアカウントの識別情報によって置き換えるために使用され、第2のインターフェース上に表示された目標の情報は、第3の命令に従って第1のアカウントの識別情報に更新される。
【００２９】
任意で、第1のアカウントの識別情報が隠された状態であるかどうかをプロンプト表示するために、プロンプト情報が第2のインターフェース上に表示される。第2のインターフェース上に表示された第1のアカウントの識別情報が第2の命令に従って目標の情報に更新されるとき、第1のプロンプト情報が、第2のインターフェース上に表示される。第1のプロンプト情報は、第1のアカウントの識別情報が隠された状態であることを示すために使用される。第2のインターフェース上に表示された目標の情報が第2の命令に従って第1のアカウントの識別情報に更新されるとき、第2のプロンプト情報が、第2のインターフェース上に表示される。第2のプロンプト情報は、第1のアカウントの識別情報が見える状態であることを示すために使用される。
【００３０】
任意で、第2の命令が第2のインターフェース上で受信された後、第2の命令が目標の情報を運ぶかどうかが検出される。第2の命令が目標の情報を運ぶことが検出される場合、第2のインターフェース上に表示された第1のアカウントの識別情報が、第2の命令に従って目標の情報に更新される。第2の命令が目標の情報を運ばないことが検出される場合、第2の命令がサーバに送信され、第2の命令が受信されることに応答して、目標の情報がサーバによって生成される。第2のインターフェース上に表示された第1のアカウントの識別情報が目標の情報に更新されるように、サーバは、予め設定された識別情報グループから第1のグループを無作為に抽出し、目標の情報として第1のグループから1つの識別情報を無作為に抽出する。つまり、目標の情報は、ユーザによって入力される可能性があり、またはサーバによって自動的に生成される可能性がある。ユーザが、ユーザの好みに応じて必要とされる目標の情報を選択し、それによって、アプリケーションの柔軟性を高めるように、目標の情報のパーソナライズおよびカスタマイズが、ユーザによって目標の情報を入力することにより実施される可能性があり、複数の任意の目標の情報が、サーバによって提供される可能性がある。
【００３１】
任意で、予め設定されたイベントは、リソースを転送することであり、第1のアカウントが第2のアカウントにリソースを転送するとき、サーバによって送信された転送されるリソースの値が使用される可能性があり、または転送されるリソースの値が第1のアカウントのユーザによって編集される可能性がある。第1の命令が端末の第1のインターフェース上で受信された後、第1の命令は、サーバに送信され、第1の命令は、第1の情報に関する予め設定されたイベントを実行するように命令するために使用される。第1の命令に応答してサーバによって送信された転送されるリソースの値が、受信され、転送されるリソースの値が、第2のインターフェース上に表示され、転送されるリソースの値は、編集可能な状態である。
【００３２】
任意で、予め設定されたイベントは、リソースを転送することであり、転送されるリソースの値は、第1のアカウントと第2のアカウントとの間のインタラクティブ挙動情報(interactive behavior information)に従って生成される。第1の命令を受信すると、サーバは、予め設定された時間の期間に第1のアカウントと第2のアカウントとの間のインタラクティブ挙動情報を検出し、インタラクティブ挙動情報に従って転送されるリソースの値を生成し、転送されるリソースの値を端末の第2のインターフェースに送信する。インタラクティブ挙動情報が予め設定された条件を満たす場合、転送されるリソースの生成された値は、第1の値以上であり、インタラクティブ挙動情報が予め設定された条件を満たさない場合、転送されるリソースの生成された値は、第1の値未満である。
【００３３】
任意で、第1のアカウントは、第2のアカウントにリソースを転送し、メッセージを送信する可能性がある。第2のインターフェースが第1の命令に応答して表示された後、メッセージが第2のインターフェース上で受信される。リソースが第1のアカウントから第2のアカウントに転送された後、メッセージおよび目標の情報が第1のインターフェース上に表示され、第1のアカウントの識別情報を見られることを可能にしない。
【００３４】
第1のアカウントおよび第2のアカウントは、インスタントメッセージングアプリケーションまたはマイクロブログなどのソーシャルプラットフォームのアカウントである可能性がある。予め設定されたイベントは、祝儀を贈ること、コメントすること、いいね!をすること、またはお金を寄付することなどの、アカウントに関してまたはアカウントによって公開された情報に対して実行される動作である可能性がある。第1の情報は、テキスト、画像、音声、ビデオなどを含む、第2のアカウントによって公開された情報である。第1の情報は、第1のアカウントを使用することによってログインが実行される端末のインターフェース上に表示される。目標の情報は、特定の有名人の画像もしくは名前、特定の風景の画像もしくは名前、または特定の動物の画像もしくは名前などの識別情報である可能性がある。目標の情報は、第1のアカウントの本当の識別情報を表さない可能性があり、本当の識別情報は、登録されたアカウント名または登録されたアカウントプロフィール写真などのアカウントに対応する登録情報である可能性がある。転送されるリソースは、祝儀である可能性があり、転送されるリソースの値は、送信される祝儀のお金の額である可能性がある。転送されるリソースは、特定の仮想通貨である可能性もあり、転送されるリソースの値は、転送される仮想通貨の量である可能性がある。
【００３５】
目標の情報が第2のインターフェース上に表示されるとき、ユーザの識別情報が隠された状態であることをプロンプト表示するために、第1のプロンプト情報が第2のインターフェース上に表示され、ユーザ自身を除いて、その他の人は第1のアカウントの識別情報を見ることができない。したがって、別の人は、第1のアカウントの識別情報を知ることができない。
【００３６】
第1のアカウントの識別情報が第2のインターフェース上に表示されるとき、ユーザの識別情報が見える状態であることをプロンプト表示するために、第2のプロンプト情報が第2のインターフェース上に表示され、その他の人は、ユーザのプロフィール写真をクリックするとき、ユーザの識別情報を見ることができる。
【００３７】
たとえば、端末の第2のインターフェース上の識別情報がユーザのプロフィール写真から有名人の画像に変更された後、第2のインターフェースの背景色が赤から緑に変わり、「あなたは匿名状態であり、その他の人はあなたの識別情報を見ることができません」というプロンプトが第2のインターフェース上に表示され、第2のインターフェース上の識別情報が有名人の画像からユーザのプロフィールに変更された後、第2のインターフェースの背景色が緑から赤に変わり、「あなたは非匿名状態であり、その他の人はあなたの識別情報を見ることができます」というプロンプトが第2のインターフェース上に表示される。
【００３８】
(上述の予め設定された識別情報グループである)識別情報の複数のグループが、サーバに記憶され、識別情報の各グループは、複数の識別情報を含む。第1のアカウントを使用することによってログインが実行される端末によって送信された識別情報置き換え要求を受信すると、サーバは、識別情報の複数のグループから1つのグループ(すなわち、上述の第1のグループ)を無作為に抽出し、目標の情報として第1のグループから1つの識別情報を無作為に抽出する。
【００３９】
ユーザが端末の第2のインターフェース上に表示された目標の情報を気に入らない場合、ユーザは、目標の情報を第1のアカウントの識別情報に戻すための第3の命令を送信し得る。目標の情報が第1のアカウントの識別情報に戻された後、ユーザが第1のアカウントの識別情報をクリックし続ける場合、サーバは、前の目標の情報とは異なる目標の情報を新しい識別情報として表示するためにユーザの端末に送信する。
【００４０】
予め設定された識別情報グループが、サーバに記憶される。たとえば、50人の男性有名人および50人の女性有名人を含む100人の人気のある有名人のリストが、サーバに記憶される。100人の有名人は、5つのグループ(グループA、グループB、グループC、グループD、およびグループE)に分けられ、各グループは、10人の男性有名人および10人の女性有名人を含む。第2の命令が目標の情報を運ばないことが検出される場合、第2の命令がサーバに送信される。第2の命令を受信すると、サーバは、5つのグループ、すなわち、グループA、グループB、グループC、グループD、およびグループEのうちの1つを無作為に抽出する。グループBが無作為に抽出され、1つの情報がグループBから無作為に抽出されると仮定され、有名人B5の情報が無作為に抽出され、有名人B5の情報が目標の情報として使用されると仮定される。ユーザが端末の第2のインターフェース上で有名人B5のプロファイル写真および写真を見ることができるように、サーバは有名人B5の情報をクライアントに送信する。ユーザが目標の情報によって満足させられない場合、1つの識別情報が、目標の情報としてグループBの残り9人の有名人からサーバによって無作為に抽出され、ユーザが目標の情報によってまだ満足させられない場合、1つの識別情報が、目標の情報としてグループBの残り8人の有名人からサーバによって無作為に抽出される。ユーザがグループBの10人の有名人すべてによって満足させられない場合、4つのグループ、すなわち、グループA、グループC、グループD、およびグループEのうちの1つが無作為に抽出され(グループEが抽出されると仮定される)、1つの識別情報が目標の情報としてグループEから無作為に抽出され、以下同様である。100人の有名人すべての識別情報が抽出された場合、1つの識別情報が、グループBから始まって、目標の情報として無作為に抽出され、ユーザが目標の情報を選択するまで、上述のプロセスが繰り返される。
【００４１】
代替的な実施形態においては、ユーザが端末の第2のインターフェース上に表示された目標の情報を気に入らない場合、目標の情報を第1のアカウントの識別情報に戻す必要はなく、ユーザが第1のアカウントの識別情報をクリックし続けるとき、サーバは、前の目標の情報とは異なる目標の情報を新しい識別情報として表示するためにユーザの端末に送信する。
【００４２】
任意の実施形態においては、異なる色のプロフィール写真が目標の情報として設定される可能性があり、またはプロフィール写真の背景が異なる色を用いて設定される可能性があり、1度に1つの色が無作為に選択され、ユーザに送信される。
【００４３】
ユーザが好みの目標の情報を選択することができるように、識別情報の複数のグループが設定され、それによって、ユーザの選択範囲を広げ、表示されるコンテンツの多様性および選択性を高める。
【００４４】
第1のアカウントは、リソースを別のアカウントに匿名で転送し得る。第1のアカウントがリソースを第2のアカウントに匿名で転送する場合が、例として説明される。
【００４５】
第1のインターフェースは、第1のアカウントを使用することによってログインが実行される端末上に表示され、端末は、第1の命令をサーバに送信し、第1の命令は、リソースを第2のアカウントに転送する情報を含む。第1の命令を受信すると、サーバは転送されるリソースの値を端末に送信し、端末は第2のインターフェースを表示し、第2のインターフェース上に転送されるリソースの値が表示され、値は編集可能な状態である。ユーザは、端末の第2のインターフェース上で転送されるリソースの生成された値をそのまま使用する可能性があり、または値をクリックし、編集する可能性がある。
【００４６】
サーバによって端末に送信される転送されるリソースの値は、複数の方法で決定され得る。たとえば、転送されるリソースの値は、指定された値の範囲内で無作為に決定され、または転送されるリソースの値は、アカウントの間の親密さの度合いに応じて決定される。任意で、この実施形態において、転送されるリソースの値は、第1のアカウントと第2のアカウントとの間の親密さの度合いに応じて決定される。サーバは、予め設定された時間の期間における第1のアカウントと第2のアカウントとの間のインタラクティブ挙動情報を検出し、それによって、第1のアカウントの所有者と第2のアカウントの所有者との間の関係が親しいかどうかを判定する。インタラクティブ挙動は、チャットすること、コメントすること、いいね!をすること、祝儀を贈ることなどを含む。
【００４７】
予め設定された時間の期間においては、第1のアカウントと第2のアカウントとの間のインタラクティブな挙動が頻繁である場合、第1のアカウントの所有者と第2のアカウントの所有者との間の関係は比較的親密であることが示される。この場合、第1のアカウントから第2のアカウントにリソースを転送するプロセスにおいて、サーバによって生成される転送されるリソースの値は比較的大きく、第1のアカウントと第2のアカウントとの間のインタラクティブな挙動が散発的である場合、第1のアカウントの所有者と第2のアカウントの所有者との間の関係は比較的疎遠であることが示される。この場合、第1のアカウントから第2のアカウントにリソースを転送するプロセスにおいて、サーバによって生成される転送されるリソースの値は比較的小さい。
【００４８】
たとえば、Xiao Mingが第1のアカウントの所有者であり、Xiao Hongが第2のアカウントの所有者であると仮定される。Xiao Mingが直近の2週間に(チャットすること、一方から他方にいいね!をすること、または一方から他方にコメントすることを含め) QQ上でXiao Hongと連絡を取った場合、サーバによって生成される無作為の祝儀の金額Xは、1元< X <2元を満たし、サーバは、4つの祝儀の金額、すなわち、1.22元、1.55元、1.69元、および1.88元から1つを無作為に選択し、その金額をXiao Mingのモバイル電話に送信する可能性がある。Xiao Mingが「額を変更する」をクリックする場合、無作為の額Xが、1元未満まで下げられ、サーバは、4つの祝儀の金額、すなわち、0.33元、0.55元、0.66元、および0.88元から1つを無作為に選択し、その金額をXiao Mingのモバイル電話に送信する可能性がある。Xiao Mingが直近の2週間においてQQ上でXiao Hongと連絡を取らなかった場合、サーバによって無作為に生成される祝儀の金額Xは、1元未満であり、サーバは、4つの祝儀の金額、すなわち、0.33元、0.55元、0.66元、および0.88元から1つを無作為に選択する可能性があり、その金額をXiao Mingのモバイル電話に送信する可能性がある。Xiao Mingが「額を変更する」をクリックする場合、無作為の額Xが、条件1元< X 2元を満たすように増やされ、サーバは、4つの祝儀の金額、すなわち、1.22元、1.55元、1.69元、および1.88元から1つを無作為に選択し、その金額をXiao Mingのモバイル電話に送信する可能性がある。
【００４９】
サーバは、予め設定された時間の期間における第1のアカウントと第2のアカウントとの間のインタラクティブ挙動情報を検出し、インタラクティブ挙動情報に従ってリソースの値を生成し、値は、ユーザによって転送されることが望まれるリソースの値の期待を満たし、その結果、表示される値が、ユーザの要件を満たし、それによって、値のプッシュの正確性を高める。
【００５０】
第1のアカウントは、第2のアカウントによって公開された第1の情報に匿名でコメントすることができ、さらに、第2のアカウントにリソースを転送し、メッセージを送信することができる。第1のアカウントが匿名であることを望むとき、目標の情報は、第1のアカウントを使用することによってログインが実行される端末の第2のインターフェース上に表示される。第2のインターフェース上で、ユーザはメッセージを入力する可能性があり、またはリソースを転送する可能性がある。第1のアカウントから第2のアカウントにリソースが転送されたかまたはメッセージが送信された後、第1のアカウントを使用することによってログインが実行される端末のインターフェースが、第2のインターフェースから第1のインターフェースに切り替えられる。この場合、メッセージ情報、転送されるリソースの値、および目標の情報は、第1のインターフェース上に表示される。第1のアカウントを除くその他のアカウントを使用することによってログインが実行される端末のインターフェース上で、第1のアカウントからのメッセージ、転送されるリソースの値、および目標の情報が、見られる可能性があり、第1のアカウントの識別情報を見ることを可能にしないので、第1のアカウントを除くその他のアカウントは、第1のアカウントの識別情報を知ることができない。したがって、第1のアカウントは、イベントを匿名で開始し、それによって、第1のアカウントのプライバシーを保護し、情報の安全を保証することができる。
【００５１】
図2は、本開示の実施形態による情報の更新のための方法の流れ図である。図2に示されるように、情報を更新するための方法は、ステップ101から107を含む。
【００５２】
ステップ101において、端末が、第1のインターフェース上で第1の情報に関する第1の命令を受信する。
【００５３】
第1の命令は、第1の情報に関する予め設定されたイベントを実行するように命令するために使用される。第2のアカウントによって公開される第1の情報が、第1のインターフェース上に表示される。
【００５４】
ステップ102において、端末が、第1の命令をサーバに送信する。
【００５５】
ステップ103において、サーバが、第1の命令に従って第2のインターフェースを生成する。
【００５６】
ステップ104において、サーバが、第2のインターフェースの情報を端末に送信する。
【００５７】
ステップ105において、端末が、第2のインターフェースを表示する。
【００５８】
第1のアカウントの識別情報が、第2のインターフェース上に表示され、第1のアカウントの識別情報は、編集可能な状態である。
【００５９】
ステップ106において、端末が、第2のインターフェース上で第2の命令を受信し、第2の命令が目標の情報を含むかどうかを判定する。
【００６０】
第2の命令は、第1のアカウントの識別情報を目標の情報によって置き換えるように命令するために使用される。
【００６１】
ステップ106は、ステップ1061から1063をさらに含む。
【００６２】
ステップ1061において、第2の命令が目標の情報を含まない場合、端末が、第2の命令をサーバに送信する。
【００６３】
ステップ1062において、サーバが、端末によって送信された第2の命令に応答して目標の情報を生成する。
【００６４】
ステップ1063において、サーバが、生成された目標の情報を端末に送信する。
【００６５】
ステップ107において、端末が、第1のアカウントの識別情報を目標の情報によって置き換える。
【００６６】
第2の命令が目標の情報を運ぶ場合、端末は、第1のアカウントの識別情報を第2の命令によって運ばれた目標の情報によって置き換え、第2の命令が目標の情報を運ばない場合、第1のアカウントの識別情報は、サーバによって送信された目標の情報によって置き換えられる。
【００６７】
図3は、本開示の別の実施形態による情報を更新するための方法の流れ図である。以下で、本開示の実施形態による情報の更新のための方法が、図3を参照して説明される。図3に示されるように、情報を更新するための方法は、主に、以下のステップS202からS224を含む。
【００６８】
ステップS202において、ユーザAが「祝儀」をクリックすると判定される。第1のアカウントを使用することによってユーザAの端末上でログインが実行され、第2のアカウントを使用することによってユーザBの端末上でログインが実行される。図4に示されるように、ユーザAの端末の第1のインターフェース上で、「祝儀」アイコンが提供される。ユーザAがユーザBに祝儀を贈ることになるとき、ユーザAは、端末の第1のインターフェース上で「祝儀」アイコンをクリックし、ユーザAの端末のインターフェースは、第1のインターフェースから第2のインターフェースに変更され、第2のインターフェースは、図5に示される通りである。
【００６９】
ステップ204において、ユーザAとユーザBとの間の関係が親密であるかどうかが判定される。ユーザAとユーザBとの間の関係が親密であると判定される場合、方法は、ステップS206に進み、ユーザAとユーザBとの間の関係が疎遠であると判定される場合、方法は、ステップ208に進む。
【００７０】
ユーザAとユーザBとの間でチャットする、いいね!をする、コメントする頻度に応じて、ユーザAとユーザBとの間の関係が親密であるかどうかが判定され、親密さの度合いに応じて、無作為の金額が生成される。ユーザAとユーザBとの間の関係が比較的親密であると判定される場合、生成される無作為の金額は比較的大きく、ユーザAとユーザBとの間の関係が比較的疎遠であると判定される場合、生成される無作為の金額は比較的小さい。
【００７１】
ステップS206において、1元を超え、2元未満の祝儀の金額が生成される。ユーザAとユーザBとの間の関係が親密であると判定される場合、生成される無作為の金額は1元と2元との間である。たとえば、ユーザAとユーザBとの間の関係が親密であると判定される場合、生成される無作為の金額は、図5に示されるように1.69元である。図5においては、見て取られるように、テキストの行「額を変更する」が「1.69元」の下に与えられる。ユーザAがテキストの行をクリックする場合、「1.69元」が別の額に更新される。
【００７２】
ステップS208において、1元未満の祝儀の金額が表示される。ステップS204においてユーザAとユーザBとの間の関係が比較的疎遠であると判定される場合、生成される無作為の金額は1元未満である。
【００７３】
ステップS210において、ユーザAが匿名であることを選択するかどうかが判定される。ユーザAが匿名であることを選択すると判定される場合、方法はステップS212に進み、ユーザAが匿名であることを選択しないと判定される場合、方法はステップS214に進む。
【００７４】
ステップS212において、名前および画像が、匿名の名前およびプロフィール写真の割り当て規則に従って割り当てられる。図5に示されるように、テキストの行「匿名になるためにはプロフィール写真をクリックしてください」が、第1のアカウントのプロフィール写真の下に与えられる。ユーザAがテキストの行をクリックする場合、端末の第2のインターフェース上のユーザAのプロフィール写真が、(有名人Wのプロフィール写真などの)有名人のプロフィール写真によって置き換えられ、「Wとして匿名である」が、プロフィール写真の下に表示される。ユーザが有名人Wを好きでない場合、ユーザは、有名人Wのプロフィール写真をクリックし得る。この場合、有名人Wのプロフィール写真が、第1のアカウントの識別情報によって置き換えられる。ユーザが第1のアカウントの識別情報をクリックし続ける場合、第1のアカウントの識別情報が、(有名人Lのプロフィール写真などの)別の有名人のプロフィール写真によって置き換えられ、「Lとして匿名である」が、プロフィール写真の下に表示される。ユーザAがまだ満足させられない場合、ユーザは、有名人Lのプロフィール写真をクリックする。この場合、有名人Lのプロフィール写真が、第1のアカウントの識別情報によって置き換えられる。ユーザが第1のアカウントの識別情報をクリックし続ける場合、ユーザが満足させられるまで、第1のアカウントの識別情報が別の有名人のプロフィール写真によって置き換えられる。たとえば、図6に示されるように、端末の第2のインターフェース上のユーザAのプロフィール写真が、有名人×××のプロフィール写真によって置き換えられ、「×××として匿名である」が、プロフィール写真の下に表示される。
【００７５】
ステップS214において、ユーザAが「額を変更する」をクリックするかどうかが判定される。ユーザAが「額を変更する」をクリックすると判定される場合、方法はステップS216に進み、ユーザAが「額を変更する」をクリックしないと判定される場合、方法はステップS218に進む。ユーザが祝儀の金額によって満足させられない場合、ユーザは、図6に示されるインターフェース上で「額を変更する」をクリックし得る。
【００７６】
ステップS216において、祝儀の金額が、無作為な金額の規則に従ってユーザAのために割り当てられる。ユーザが図6に示されるインターフェース上で「額を変更する」をクリックする場合、関係が親密である場合により大きな金額が与えられ、関係が疎遠である場合により小さな金額が与えられるという規則に従って、祝儀の金額がユーザAのために割り当てられる。特に、ステップS204においてユーザAとユーザBとの間の関係が比較的親密であると判定される場合、金額が、いくつかのより大きな祝儀の金額から無作為に選択され、ユーザAに対して表示される。ステップS204においてユーザAとユーザBとの間の関係が比較的疎遠であると判定される場合、金額が、いくつかのより小さな祝儀の金額から無作為に選択され、ユーザAに対して表示される。たとえば、ステップS204においてユーザAとユーザBとの間の関係が比較的親密であると判定される場合、金額が、1.22元、1.55元、1.69元、および1.88元から無作為に選択され、ユーザAに対して表示される。ステップS204においてユーザAとユーザBとの間の関係が比較的疎遠であると判定される場合、金額が、0.33元、0.55元、0.66元、および0.88元から無作為に選択され、ユーザAに対して表示される。ステップS204においてユーザAとユーザBとの間の関係が比較的親密であり、1.88元が、祝儀の金額として無作為に選択され、ユーザAに対して表示されると仮定する。図7に示されるように、祝儀の金額は、1.88元に更新される。
【００７７】
ステップS218において、ユーザAがコメントを追加するかどうかが判定される。ユーザAがコメントを追加すると判定される場合、方法はステップS220に進み、ユーザAがコメントを追加しないと判定される場合、方法はステップS222に進む。ユーザAが図7に示されるインターフェース上で「メッセージを送信する」ブロックをクリックした後、コメントが追加され得る。たとえば、ユーザAが図7に示されるインターフェース上で「メッセージを送信する」ブロックをクリックした後、インターフェースは、コメントがユーザAによって入力され得る、図8に示されるインターフェースによって置き換えられる。ユーザAがコメント情報「あなたはとてもきれいだ。私の女神、愛しています」を入力すると仮定される。
【００７８】
ステップS220において、ユーザAによって入力されたコメント情報が受信される。
【００７９】
ステップS222において、パスワードが確認される。ユーザが図8に示される「祝儀を贈る」ブロックをクリックするとき、インターフェースが、図9に示されるインターフェースに切り替えられる。ユーザAは、インターフェース上で支払いパスワードを入力することができる。入力された支払いパスワードは、決済サーバに送信される。支払いパスワードが決済サーバによって正しいと確認された後、決済動作が実行され、「支払い成功」を表示するインターフェースが端末に返される。
【００８０】
ステップS224において、ユーザAが祝儀をユーザBに成功裏に贈ると判定される。支払いパスワードが正しいと確認された後、端末は、サーバによって返される「支払い成功」インターフェースを受信し、図10に示されるインターフェース(すなわち、支払い成功インターフェース)を表示し、「賞賛成功」プロンプトブロックが、インターフェース上に表示される。数秒後、図11に示されるように、プロンプトブロックが消え、祝儀アイコンが現れ、「匿名(×××)」が祝儀アイコンの右側に現れ、「匿名(×××)」のコメント「あなたはとてもきれいだ。私の女神、愛しています」が祝儀アイコンの下に現れる。ユーザAを除くその他のユーザがテキストのリンク「匿名(×××)」をクリックする場合、図12に示されるように、「現在のユーザは匿名であり、あなたは現在のユーザの情報を見ることはできません」を示すプロンプトが現れる。
【００８１】
本開示の実施形態においては、イベントが、ユーザによって匿名で開始され、それによって、ユーザのプライバシーを守るテクノロジーの効果を実現し、ユーザの情報セキュリティを保証することができる。
【００８２】
情報の更新のための方法が、コメントすることを例として使用することによって下で説明される。
【００８３】
たとえば、Xiao Zhangおよびkikiは友達であり、Xiao ZhangはkikiのQQ spaceの更新に関心を払う。kikiが新しい更新を公開する度に、Xiao Zhangは、コメントするかまたはいいね!をする。しかし、Xiao Zhangは、彼がkikiを密かに愛していることをその他の人に知られたくない。本開示の実施形態による方法を使用することによって、Xiao Zhangは、kikiの更新に匿名でコメントするかまたはいいね!をすることができる。筋書きが、以下で詳細に説明される。
【００８４】
kikiが彼女のQQ spaceに彼女自身の写真を公開するとき(第2のアカウントによって公開される第1の情報)、Xiao Zhangのコンピュータ内のQQクライアントが、kikiの新しい更新をプロンプト表示する。Xiao Zhangは、QQクライアントに入り、kikiの写真(端末の第1のインターフェース上に表示された第2のアカウントによって公開された第1の情報)を見る。Xiao Zhangは、第1の命令をサーバに送信し、第1の命令は、kikiの写真にコメントするために使用される(kikiの写真にコメントすることは、上述の第1の情報に関する予め設定されたイベントを実行することに対応する)。Xiao Zhangのコンピュータは、編集可能なインターフェース(第2のインターフェース)を表示し、Xiao Zhangの識別情報が、インターフェース上に表示される。Xiao Zhangは、インターフェースをクリックして第2の命令をサーバに送信する。サーバは、第2の命令を受信し、有名人Aの画像および名前をXiao Zhangのコンピュータに送信し、Xiao Zhangの識別情報が、端末の第2のインターフェース上で有名人Aの画像および名前によって置き換えられる。kikiは、彼女のQQクライアント内でXiao Zhangのコメントおよび有名人Aの画像を見る可能性があるが、コメントした人の識別情報を知ることはできない。Xiao Zhangを除くその他の人は、コメントの内容のみを見ることができ、コメントした人の識別情報を知ることはできず、それによって、匿名でコメントするかまたはいいね!をする技術的な効果を実現する。
【００８５】
本開示の実施形態による情報の更新のための方法が、匿名の寄付を例に取ることによって下で説明される。
【００８６】
Xiao Huは、寄付を求めるためにXiao Huのマイクロブログにおいてテキストを公開する(第2のアカウントによって公開される第1の情報)。Xiao Wangは、Xiao Wangのマイクロブログにおいて、寄付を求めるためにXiao Huによって公開されたテキスト(端末の第1のインターフェース上に表示された第2のアカウントによって公開された第1の情報)を見て、第1の命令をサーバに送信し、第1の命令は、Xiao Huにお金を寄付するために使用される(Xiao Huにお金を寄付することは、上述の第1の情報に関する予め設定されたイベントを実行することに対応する)。サーバは、第1の命令に従って第2のインターフェースを生成し、第2のインターフェースの情報をXiao Wangのモバイル電話に送信する。Xiao Wangのモバイル電話は、編集可能なインターフェース(第2のインターフェース)を表示し、Xiao Wangの識別情報および寄付情報が、インターフェース上に表示される。Xiao Wangは、インターフェースをクリックして第2の命令をサーバに送信する。サーバは、第2の命令を受信し、有名人Bの画像および名前をXiao Wangのモバイル電話に送信する。端末の第2のインターフェース上で、Xiao Wangの識別情報が、有名人Bの画像および名前によって置き換えられ、寄付の額が、表示される。Xiao Wangが寄付の額によって満足させられない場合、Xiao Wangは、寄付の額を編集し得る。Xiao Wangは、メッセージ情報をさらに編集し得る。Xiao Wangが成功裏にお金を寄付した後、Xiao Huは、Xiao Huのマイクロブログにおいて寄付、Xiao Wangのメッセージ、および有名人Bの画像を見る可能性があるが、寄付者の識別情報を知ることはできない。Xiao Wangを除くその他の人は、寄付情報のみを見ることができ、寄付者の識別情報を見ることはできず、それによって、匿名で寄付を行う技術的な効果を実現する。このようにして、寄付者のプライバシーが守られ、寄付者の情報セキュリティが保証される。
【００８７】
本開示の実施形態による情報の更新のための方法を使用することによって、グループ内の特定のメンバーのメッセージに匿名でコメントがなされる可能性があり、返信が与えられる可能性があり、またはいいね!がなされる可能性がある。グループは、WeChatのグループ、QQのグループなどである可能性がある。以下で、グループ内の特定のメンバーのメッセージに匿名でコメントする場合が、例として説明される。
【００８８】
たとえば、XおよびYが、同じWeChatのグループ内におり、Yが、WeChatグループ内でメッセージ「今週末、ドライブに行こう」を送信する。Xは、Xのモバイル電話上でXのアカウントを使用してログインし、WeChatのグループ内でYによって公開されたメッセージ(端末の第1のインターフェース上に表示された第2のアカウントによって公開された第1の情報)を見る。Xは、Yによって公開されたメッセージをクリックし、Yによって公開されたメッセージにコメントするための第1の命令が、生成される(Yによって公開されたメッセージにコメントすることは、上述の第1の情報に関する予め設定されたイベントを実行することに対応する)。サーバは、第1の命令に従って第2のインターフェースを生成し、第2のインターフェースの情報をXのモバイル電話に送信する。Xのモバイル電話は、編集可能なインターフェース(第2のインターフェース)を表示し、Xの識別情報が、インターフェース上に表示される。Xは、(Xの識別情報を変更するように命令する)第2の命令をサーバに送信するためにインターフェースをクリックする。サーバは、第2の命令を受信し、有名人Bの画像Xのモバイル電話に送信する。Xのモバイル電話の第2のインターフェース上のXの識別情報が、有名人Bの画像および名前によって置き換えられる。さらに、Xは、第2のインターフェース上でYによって公開されたメッセージにコメントし得る。たとえば、Xは、第2のインターフェース上でYによって公開されたメッセージ上で「それはいいアイデアだ!」というコメントをする。Xによってコメントがなされた後、WeChatのグループ内のすべての人が、Yのメッセージ「今週末、ドライブに行こう」に対するコメント「それはいいアイデアだ!」ならびに有名人Bの画像および名前を見る可能性がある。有名人Bの画像がクリックされるとき、プロンプト「識別情報は見られることを許されていません」が表示される。Xを除くその他の人は、誰がYのメッセージにコメントしたのか分からず、それによって、グループ内で匿名でコメントする技術的な効果を実現する。
【００８９】
説明を簡潔にするために、上述の方法の実施形態は、一連の行為の組合せとして説明されることに留意されたい。しかし、当業者は、一部のステップが本開示に従ってその他の順番で実行される可能性がありまたは同時に実行される可能性があるので、本開示が行為のいかなる説明される順番にも限定されないことを知るべきである。加えて、本明細書において説明される実施形態はすべて好ましい実施形態であり、含まれる行為およびモジュールのすべてが本開示において必要とされるとは限らないことが、当業者によって理解されるべきである。
【００９０】
実施形態の上述の説明を通じて、本開示の実施形態による方法が必要な汎用のハードウェアプラットフォームと組み合わせたソフトウェアによって実装される可能性があり、ハードウェアによっても確かに実装される可能性があることは、当業者に明らかである。しかし、多くの場合、前者が好ましい。そのような理解に基づいて、本開示の技術的な解決策または通常のテクノロジーに寄与する部分は、実質的にソフトウェア製品の形態で実装される可能性がある。コンピュータソフトウェア製品は、ストレージ媒体(たとえば、ROM/RAM、磁気ディスク、または光ディスク)に記憶され、本開示の実施形態による方法を実行するように(モバイル電話、コンピュータ、サーバ、またはネットワークデバイスである可能性がある)端末デバイスに命令するためのいくつかの命令を含む。
【００９１】
本開示の実施形態によれば、情報の更新のための上述の方法を実装するための情報の更新のための装置が、さらに提供される。情報の更新のための装置は、主に、本開示の実施形態による上で提供された情報の更新のための方法を実行するために使用される。以下で、本開示の実施形態による情報の更新のための装置が、説明される。
【００９２】
図13は、本開示の実施形態による情報の更新のための装置の概略図である。図13に示されるように、情報の更新のための装置は、第1の受信ユニット1302、第1の表示ユニット1304、第2の受信ユニット1306、および第1の更新ユニット1308を含む。
【００９３】
第1の受信ユニット1302は、第1のアカウントを使用することによってログインが実行される装置の第1のインターフェース上で第1の情報に関する第1の命令を受信するように構成される。第1の命令は、第1の情報に関する予め設定されたイベントを実行するように命令するために使用される。第1の情報は、第2のアカウントによって公開され、第1のインターフェース上に表示される。
【００９４】
第1の表示ユニット1304は、第1の命令に応答して第2のインターフェースを表示するように構成される。第1のアカウントの識別情報が、第2のインターフェース上に表示され、第1のアカウントの識別情報は、編集可能な状態である。
【００９５】
第2の受信ユニット1306は、第2のインターフェース上で第2の命令を受信するように構成される。第2の命令は、第1のアカウントの識別情報を目標の情報によって置き換えるように命令するために使用される。
【００９６】
第1の更新ユニット1308は、第2のインターフェース上に表示された第1のアカウントの識別情報を第2の命令に従って目標の情報に更新するように構成される。
【００９７】
任意で、装置は、第3の受信ユニットおよび第2の更新ユニットをさらに含む。第3の受信ユニットは、第1の更新ユニットが第2のインターフェース上に表示された第1のアカウントの識別情報を第2の命令に従って目標の情報に更新した後、第2のインターフェース上で第3の命令を受信するように構成される。第3の命令は、目標の情報を第1のアカウントの識別情報によって置き換えるために使用される。第2の更新ユニットは、第2のインターフェース上に表示された目標の情報を第1のアカウントの識別情報に更新するように構成される。
【００９８】
任意で、第2のインターフェース上に表示された第1のアカウントの識別情報が第1の更新ユニットによって第2の命令に従って目標の情報に更新されるとき、第1の表示ユニットは、第2のインターフェース上に第1のプロンプト情報を表示する。第1のプロンプト情報は、第1のアカウントの識別情報が隠された状態であることを示すために使用される。第2のインターフェース上に表示された目標の情報が第1の更新ユニットによって第2の命令に従って第1のアカウントの識別情報に更新されるとき、第1の表示ユニットは、第2のインターフェース上に第2のプロンプト情報を表示する。第2のプロンプト情報は、第1のアカウントの識別情報が見える状態であることを示すために使用される。
【００９９】
任意で、装置は、第1の検出ユニットおよび第3の更新ユニットをさらに含む。第1の検出ユニットは、第2の命令が第2のインターフェース上で第2の受信ユニットによって受信された後、および第2のインターフェース上に表示された第1のアカウントの識別情報が第1の更新ユニットによって第2の命令に従って目標の情報に更新される前に、第2の命令が目標の情報を運ぶかどうかを検出するように構成される。第3の更新ユニットは、第2の命令が目標の情報を運ぶことが検出される場合、第2のインターフェース上に表示された第1のアカウントの識別情報を第2の命令によって運ばれる目標の情報に更新するように構成される。
【０１００】
任意で、装置は、第2の検出ユニット、第1の送信ユニット、および第4の受信ユニットをさらに含む。第2の検出ユニットは、第2の受信ユニットが第2のインターフェース上で第2の命令を受信した後、および第1の更新ユニットが第2のインターフェース上に表示された第1のアカウントの識別情報を第2の命令に従って目標の情報に更新する前に、第2の命令が目標の情報を運ぶかどうかを検出するように構成される。第1の送信ユニットは、第2の命令が目標の情報を運ばないことが検出される場合、第2の命令をサーバに送信するように構成される。第4の受信ユニットは、第2の命令に応答してサーバによって生成された目標の情報を受信するように構成される。サーバは、予め設定された識別情報グループから第1のグループを無作為に抽出し、目標の情報として第1のグループから1つの識別情報を無作為に抽出する。
【０１０１】
任意で、予め設定されたイベントは、リソースを転送することであり、装置は、第2の送信ユニット、第5の受信ユニット、および第2の表示ユニットをさらに含む。第2の送信ユニットは、第1の受信ユニットが装置の第1のインターフェース上で第1の命令を受信した後、第1の命令をサーバに送信するように構成される。第1の命令は、第1の情報に関する予め設定されたイベントを実行するように命令するために使用される。第5の受信ユニットは、第1の命令に応答してサーバによって送信された転送されるリソースの値を受信するように構成される。第2の表示ユニットは、第2のインターフェース上に転送されるリソースの値を表示するように構成される。転送されるリソースの値は、編集可能な状態である。
【０１０２】
任意で、予め設定されたイベントは、リソースを転送することであり、装置は、第3の検出ユニットおよび生成ユニットをさらに含む。サーバは、第2の送信ユニットが第1の命令をサーバに送信した後、および第5の受信ユニットが第1の命令に応答してサーバによって送信された転送されるリソースの値を受信する前に、予め設定された時間の期間において第1のアカウントと第2のアカウントとの間のインタラクティブ挙動情報を検出する。サーバは、インタラクティブ挙動情報に従って転送されるリソースの値を生成する。インタラクティブ挙動情報が予め設定された条件を満たす場合、転送されるリソースの生成された値は、第1の値以上であり、インタラクティブ挙動情報が予め設定された条件を満たさない場合、転送されるリソースの生成された値は、第1の値未満である。
【０１０３】
任意で、装置は、第1の表示ユニットが第1の命令に応答して第2のインターフェースを表示した後、第2のインターフェース上でメッセージ情報を受信するように構成された第6の受信ユニットをさらに含む。リソースが第1のアカウントから第2のアカウントに転送された後、メッセージ情報および目標の情報が第1のインターフェース上に表示され、第1のアカウントの識別情報を見ることを可能にしない。
【０１０４】
図14は、図14に示されるように本開示の実施形態による情報の更新のための方法を実装するためのサーバの概略図であり、サーバは、受信モジュール1402、第1の生成モジュール1404、および送信モジュール1406を含む。
【０１０５】
受信モジュール1402は、第1のアカウントの識別情報を目標の情報によって置き換えるように命令するために使用される識別情報置き換え要求を受信するように構成される。識別情報置き換え要求は、第1のアカウントを使用することによってログインが実行される端末によって第2のインターフェースを使用することにより送信される。端末は、第1のインターフェース上で第1の命令を受信すると第2のインターフェースを表示する。第1の命令は、第2のアカウントによって公開され、第1のインターフェース上に表示される第1の情報に関する予め設定されたイベントを実行するように命令するために使用される。第1のアカウントの識別情報が、第2のインターフェース上に表示され、第1のアカウントの識別情報は、編集可能な状態である。
【０１０６】
第1の生成モジュール1404は、識別情報置き換え要求に従って目標の情報を生成するためにサーバによって使用される。
【０１０７】
送信モジュール1406は、第1のアカウントを使用することによってログインが実行される端末に目標の情報を送信するためにサーバによって使用される。
【０１０８】
任意で、第1の生成モジュールは、第1の抽出サブモジュールおよび第2の抽出サブモジュールを含む。第1の抽出サブモジュールは、予め設定された識別情報グループから第1のグループを無作為に抽出するように構成される。予め設定された識別情報グループは、複数の識別情報を含む。第2の抽出サブモジュールは、目標の情報として第1のグループから1つの識別情報を無作為に抽出するように構成される。
【０１０９】
任意で、サーバは、検出モジュールおよび第2の生成モジュールをさらに含む。検出モジュールは、受信モジュールが第1のアカウントの識別情報を目標の情報によって置き換えるように命令するために使用される識別情報置き換え要求を受信する前に、予め設定された時間の期間において第1のアカウントと第2のアカウントとの間のインタラクティブ挙動情報を検出するように構成される。第2の生成モジュールは、インタラクティブ挙動情報に従って転送されるリソースの値を生成するように構成される。インタラクティブ挙動情報が予め設定された条件を満たす場合、転送されるリソースの生成された値は、第1の値以上であり、インタラクティブ挙動情報が予め設定された条件を満たさない場合、転送されるリソースの生成された値は、第1の値未満である。
【０１１０】
本開示の実施形態によれば、情報の更新のための方法を実装するための端末が、さらに提供される。図15に示されるように、端末は、プロセッサ401、ディスプレイ405、データインターフェース407、メモリ409、およびネットワークインターフェース411を含む。
【０１１１】
データインターフェース407は、データ送信方法を使用することによってサーバに第1のアカウントの識別情報を送信する。
【０１１２】
メモリ409は、複数の目標の情報を記憶するために使用される。
【０１１３】
ネットワークインターフェース411は、1つまたは複数のその他のサーバとのネットワーク通信を実行するために使用される。
【０１１４】
ディスプレイ405は、端末の第1のインターフェースおよび第2のインターフェースを表示するために使用される。
【０１１５】
プロセッサ401は、主に、以下の動作、すなわち、
端末の第1のインターフェース上で第1の命令を受信する動作であって、第1の命令が、第1の情報に関する予め設定されたイベントを実行するように命令するために使用され、第2のアカウントによって公開される第1の情報が、第1のインターフェース上に表示される、動作と、第1の命令に応答して第2のインターフェースを表示する動作であって、第1のアカウントの識別情報が、第2のインターフェース上に表示され、第1のアカウントの識別情報が、編集可能な状態である、動作と、第2のインターフェース上で第2の命令を受信する動作であって、第2の命令が、第1のアカウントの識別情報を目標の情報によって置き換えるように命令するために使用される、動作と、第2のインターフェース上に表示された第1のアカウントの識別情報を第2の命令に従って目標の情報に更新する動作とを実行するために使用される。
【０１１６】
プロセッサ401は、第2のインターフェース上で第3の命令を受信するようにさらに構成され、第3の命令は、目標の情報を第1のアカウントの識別情報によって置き換え、第2のインターフェース上に表示された目標の情報を第1のアカウントの識別情報に更新するために使用される。
【０１１７】
プロセッサ401は、第2のインターフェース上に表示された第1のアカウントの識別情報が第2の命令に従って目標の情報に更新されるとき、第2のインターフェース上に第1のプロンプト情報を表示することであって、第1のプロンプト情報が、第1のアカウントの識別情報が隠された状態であることを示すために使用される、表示することと、第2のインターフェース上に表示された目標の情報が第2の命令に従って第1のアカウントの識別情報に更新されるとき、第2のインターフェース上に第2のプロンプト情報を表示することであって、第2のプロンプト情報が、第1のアカウントの識別情報が見える状態であることを示すために使用される、表示することとを行うようにさらに構成される。
【０１１８】
プロセッサ401は、第2の命令が目標の情報を運ぶかどうかを検出し、第2の命令が目標の情報を運ぶことが検出される場合、第2のインターフェース上に表示された第1のアカウントの識別情報を第2の命令によって運ばれる目標の情報に更新するようにさらに構成される。
【０１１９】
プロセッサ401は、第2の命令が目標の情報を運ぶかどうかを検出することと、第2の命令が目標の情報を運ばないことが検出される場合、第2の命令をサーバに送信することと、第2の命令に応答してサーバによって生成された目標の情報を受信することであって、サーバが、予め設定された識別情報グループから第1のグループを無作為に抽出し、目標の情報として第1のグループから1つの識別情報を無作為に抽出する、受信することとを行うようにさらに構成される。
【０１２０】
プロセッサ401は、第1の命令をサーバに送信することであって、第1の命令が、第1の情報に関する予め設定されたイベントを実行するように命令するために使用される、送信することと、第1の命令に応答してサーバによって送信された転送されるリソースの値を受信することと、第2のインターフェース上に転送されるリソースの値を表示することであって、転送されるリソースの値が、編集可能な状態である、表示することとを行うようにさらに構成される。
【０１２１】
プロセッサ401は、予め設定された時間の期間において第1のアカウントと第2のアカウントとの間のインタラクティブ挙動情報を検出することと、インタラクティブ挙動情報に従って転送されるリソースの値を生成することであって、インタラクティブ挙動情報が予め設定された条件を満たす場合、転送されるリソースの生成された値が、第1の値以上であり、インタラクティブ挙動情報が予め設定された条件を満たさない場合、転送されるリソースの生成された値は、第1の値未満である、生成することとを行うようにさらに構成される。
【０１２２】
プロセッサ401は、第2のインターフェース上でメッセージ情報を受信するようにさらに構成される。リソースが第1のアカウントから第2のアカウントに転送された後、メッセージ情報および目標の情報が第1のインターフェース上に表示され、第1のアカウントの識別情報を見ることを可能にしない。
【０１２３】
プロセッサ401は、第1のアカウントの識別情報を目標の情報によって置き換えるように命令するために使用される。識別情報置き換え要求を受信するようにさらに構成される。識別情報置き換え要求は、第1のアカウントを使用することによってログインが実行される端末によって第2のインターフェースを使用することにより送信され、端末は、第1のインターフェース上で第1の命令を受信すると第2のインターフェースを表示し、第1の命令は、第2のアカウントによって公開され、第1のインターフェース上に表示される第1の情報に関する予め設定されたイベントを実行するように命令するために使用され、第1のアカウントの識別情報は、第2のインターフェース上に表示され、第1のアカウントの識別情報は、編集可能な状態である。
【０１２４】
プロセッサ401は、複数の識別情報を含む予め設定された識別情報グループから第1のグループを無作為に抽出し、目標の情報として第1のグループから1つの識別情報を無作為に抽出するように構成される。
【０１２５】
プロセッサ401は、予め設定された時間の期間において第1のアカウントと第2のアカウントとの間のインタラクティブ挙動情報を検出ことと、インタラクティブ挙動情報に従って転送されるリソースの値を生成するようにさらに構成される。インタラクティブ挙動情報が予め設定された条件を満たす場合、転送されるリソースの生成された値は、第1の値以上であり、インタラクティブ挙動情報が予め設定された条件を満たさない場合、転送されるリソースの生成された値は、第1の値未満である。
【０１２６】
任意で、この実施形態の特定の例に関しては上の実施形態において説明された例を参照することができ、この実施形態の特定の例の詳細は、この実施形態において繰り返されない。
【０１２７】
ストレージ媒体が、本開示の実施形態によってさらに提供される。任意で、この実施形態において、上述のストレージ媒体は、本開示の実施形態による情報の更新のための方法のプログラムコードを記憶するために使用され得る。
【０１２８】
任意で、この実施形態において、上述のストレージ媒体は、モバイル通信ネットワーク、広域ネットワーク、メトロポリタンエリアネットワーク、またはローカルエリアネットワークなどのネットワーク内の複数のネットワークデバイスのうちの少なくとも1つのネットワークデバイス上にある可能性がある。
【０１２９】
任意で、この実施形態において、ストレージ媒体は、以下のステップS1からS4を実行するためのプログラムコードを記憶するように構成される。
【０１３０】
ステップS1において、第1の命令が、端末の第1のインターフェース上で受信される。第1の命令は、第1の情報に関する予め設定されたイベントを実行するように命令するために使用される。第1の情報は、第2のアカウントによって公開され、第1のインターフェース上に表示される。
【０１３１】
ステップS2において、第2のインターフェースが、第1の命令に応答して表示される。第1のアカウントの識別情報が、第2のインターフェース上に表示され、第1のアカウントの識別情報は、編集可能な状態である。
【０１３２】
ステップS3において、第2の命令が、第2のインターフェース上で受信される。第2の命令は、第1のアカウントの識別情報を目標の情報によって置き換えるように命令するために使用される。
【０１３３】
ステップS4において、第2のインターフェース上に表示された第1のアカウントの識別情報が、第2の命令に従って目標の情報に更新される。
【０１３４】
任意で、この実施形態において、上述のストレージ媒体は、USBフラッシュドライブ、読み出し専用メモリ(ROM)、ランダムアクセスメモリ(RAM)、取り外し可能なハードディスク、磁気ディスク、または光ディスクなどの、プログラムコードを記憶することができる任意の媒体を含み得るが、それらの媒体に限定されない。
【０１３５】
任意で、この実施形態において、プロセッサは、ストレージ媒体に記憶されたプログラムコードに従って、第2のインターフェース上で第3の命令を受信することであって、第3の命令が、目標の情報を第1のアカウントの識別情報によって置き換えるために使用される、受信することと、第2のインターフェース上に表示された目標の情報を第1のアカウントの識別情報に更新することとを実行する。
【０１３６】
任意で、この実施形態において、プロセッサは、ストレージ媒体に記憶されたプログラムコードに従って、第2のインターフェース上に表示された第1のアカウントの識別情報が第2の命令に従って目標の情報に更新されるとき、第2のインターフェース上に第1のプロンプト情報を表示することであって、第1のプロンプト情報が、第1のアカウントの識別情報が隠された状態であることを示すために使用される、表示することと、第2のインターフェース上に表示された目標の情報が第2の命令に従って第1のアカウントの識別情報に更新されるとき、第2のインターフェース上に第2のプロンプト情報を表示することであって、第2のプロンプト情報が、第1のアカウントの識別情報が見える状態であることを示すために使用される、表示することとを実行する。
【０１３７】
任意で、この実施形態において、プロセッサは、ストレージ媒体に記憶されたプログラムコードに従って、第2の命令が目標の情報を運ぶかどうかを検出することと、第2の命令が目標の情報を運ぶことが検出される場合、第2のインターフェース上に表示された第1のアカウントの識別情報を第2の命令によって運ばれる目標の情報に更新することとを実行する。
【０１３８】
任意で、この実施形態において、プロセッサは、ストレージ媒体に記憶されたプログラムコードに従って、第2の命令が目標の情報を運ぶかどうかを検出すること、第2の命令が目標の情報を運ばないことが検出される場合、第2の命令をサーバに送信すること、第2の命令に応答してサーバによって生成された目標の情報を受信することを実行する。サーバは、予め設定された識別情報グループから第1のグループを無作為に抽出し、目標の情報として第1のグループから1つの識別情報を無作為に抽出する。
【０１３９】
任意で、この実施形態において、プロセッサは、ストレージ媒体に記憶されたプログラムコードに従って、第1の命令をサーバに送信することであって、第1の命令が、第1の情報に関する予め設定されたイベントを実行するように命令するために使用される、送信することと、第1の命令に応答してサーバによって送信された転送されるリソースの値を受信することと、第2のインターフェース上に転送されるリソースの値を表示することとを実行する。転送されるリソースの値は、編集可能な状態である。
【０１４０】
任意で、この実施形態において、プロセッサは、ストレージ媒体に記憶されたプログラムコードに従って、サーバによって、予め設定された時間セグメントにおいて第1のアカウントと第2のアカウントとの間のインタラクティブ挙動情報を検出することと、サーバによって、インタラクティブ挙動情報に従って転送されるリソースの値を生成することとを実行する。インタラクティブ挙動情報が予め設定された条件を満たす場合、生成される転送されるリソースの値は、第1の値以上であり、インタラクティブ挙動情報が予め設定された条件を満たさない場合、生成される転送されるリソースの値は、第1の値未満である。
【０１４１】
任意で、この実施形態において、プロセッサは、ストレージ媒体に記憶されたプログラムコードに従って、メッセージ情報を受信することを実行する。
【０１４２】
メッセージ情報および目標の情報は、リソースが第1のアカウントから第2のアカウントに転送された後、第1のインターフェース上に表示される。第1のアカウントの識別情報は、見られることを可能にされない。
【０１４３】
任意で、この実施形態において、ストレージ媒体は、以下のステップS1からS3を実行するためのプログラムコードを記憶するように構成される。
【０１４４】
ステップS1において、第1のアカウントの識別情報を目標の情報によって置き換えるように命令するために使用される識別情報置き換え要求が、受信される。識別情報置き換え要求は、第1のアカウントを使用することによってログインが実行される端末によって第2のインターフェースを使用することにより送信され、端末は、第1のインターフェース上で第1の命令を受信すると第2のインターフェースを表示し、第1の命令は、第2のアカウントによって公開され、第1のインターフェース上に表示される第1の情報に関する予め設定されたイベントを実行するように命令するために使用され、第1のアカウントの識別情報は、第2のインターフェース上に表示され、第1のアカウントの識別情報は、編集可能な状態である。
【０１４５】
ステップS2において、目標の情報が、識別情報置き換え要求に従って生成される。
【０１４６】
ステップS3において、目標の情報が、第1のアカウントを使用することによってログインが実行される端末に送信される。
【０１４７】
任意で、この実施形態において、プロセッサは、ストレージ媒体に記憶されたプログラムコードに従って、複数の識別情報を含む予め設定された識別情報グループから第1のグループを無作為に抽出することと、目標の情報として第1のグループから1つの識別情報を無作為に抽出することとを実行する。
【０１４８】
任意で、この実施形態において、プロセッサは、ストレージ媒体に記憶されたプログラムコードに従って、予め設定された時間の期間において第1のアカウントと第2のアカウントとの間のインタラクティブ挙動情報を検出することと、インタラクティブ挙動情報に従って転送されるリソースの値を生成することとを実行する。インタラクティブ挙動情報が予め設定された条件を満たす場合、生成される転送されるリソースの値は、第1の値以上であり、インタラクティブ挙動情報が予め設定された条件を満たさない場合、生成される転送されるリソースの値は、第1の値未満である。
【０１４９】
任意で、この実施形態の特定の例に関しては上の実施形態において説明された例を参照することができ、この実施形態の特定の例の詳細は、この実施形態において繰り返されない。
【０１５０】
本開示の上述の実施形態の連番は、単に説明を目的とするに過ぎず、実施形態の好ましさを示すものではない。
【０１５１】
上述の実施形態の統合されたユニットは、ソフトウェアの機能モジュールの形態で実装され、独立した製品として販売されるかまたは使用されるとき、上述のコンピュータ可読ストレージ媒体に記憶され得る。そのような理解に基づいて、本開示の実施形態の技術的な解決策は基本的にソフトウェア製品の形態で実装される可能性があり、あるいは従来技術、または技術的な解決策のすべてもしくは一部に寄与する部分はソフトウェア製品の形態で実装される可能性がある。コンピュータソフトウェア製品は、ストレージ媒体に記憶され、本開示の実施形態において説明された方法のステップのすべてまたは一部を実行するように(パーソナルコンピュータ、サーバ、ネットワークデバイスなどである可能性がある)1つまたは複数のコンピュータデバイスに命令するためのいくつかの命令を含む。
【０１５２】
本開示の上述の実施形態において、実施形態の説明は、異なる強調点を有し、一実施形態において詳細に説明されていない部分に関しては、その他の実施形態の関連する説明が参照され得る。
【０１５３】
本開示で提供されるいくつかの実施形態において、開示されたクライアントはその他の方法で実装され得ることを理解されたい。説明された装置の実施形態は、例示的であるに過ぎない。たとえば、ユニットの分割は、単に論理的な機能の分割であり、実際の実装においてはその他の分割である可能性がある。たとえば、複数のユニットもしくはコンポーネントが組み合わされるか、もしくは別のシステムに統合される可能性があり、または一部の特徴が無視されるか、もしくは実行されない可能性がある。加えて、示されたかまたは検討された相互の結合または直接的な結合または通信接続は、いくつかのインターフェースを使用することによって実装される可能性がある。ユニットまたはモジュールの間の間接的な結合または通信接続は、電子的、機械的、またはその他の形態で実装される可能性がある。
【０１５４】
別々の部分として説明されたユニットは、物理的に分かれている可能性があり、または物理的に分かれていない可能性があり、ユニットとして示された部分は、物理的なユニットである可能性があり、または物理的なユニットではない可能性があり、つまり、1つの位置に置かれる可能性があり、または複数のネットワークユニットに分散される可能性がある。ユニットの一部またはすべては、実施形態の解決策の目的を達成するための実際の必要に応じて選択され得る。
【０１５５】
加えて、本開示の実施形態の機能ユニットが、1つの処理ユニットに統合される可能性があり、またはユニットの各々が、物理的に独立して存在する可能性があり、または2つ以上のユニットが、1つのユニットに統合される。統合されたユニットは、ハードウェアの形態で実装される可能性があり、またはソフトウェアの機能ユニットの形態で実装される可能性がある。
【０１５６】
上述の説明は、本開示の好ましい実施形態であるに過ぎず、当業者は本開示の精神を逸脱することなく様々な改良および改善を行い得ることに留意されたい。すべてのそのような修正および改善も、本開示によって包含されるように意図されるはずである。
【符号の説明】
【０１５７】
102  端末
104  サーバ
401  プロセッサ
405  ディスプレイ
407  データインターフェース
409  メモリ
411  ネットワークインターフェース
1302  第1の受信ユニット
1304  第1の表示ユニット
1306  第2の受信ユニット
1308  第1の更新ユニット
1402  受信モジュール
1404  第1の生成モジュール
1406  送信モジュール
【図１】
2019508767.tif 000003
【図２】
2019508767.tif 000004
【図３】
2019508767.tif 000005
【図４】
2019508767.tif 000006
【図５】
2019508767.tif 000007
【図６】
2019508767.tif 000008
【図７】
2019508767.tif 000009
【図８】
2019508767.tif 000010
【図９】
2019508767.tif 000011
【図１０】
2019508767.tif 000012
【図１１】
2019508767.tif 000013
【図１２】
2019508767.tif 000014
【図１３】
2019508767.tif 000015
【図１４】
2019508767.tif 000016
【図１５】
2019508767.tif 000017
【国際調査報告】
2019508767.tif 000018
2019508767.tif 000019
2019508767.tif 000020
2019508767.tif 000021